(57)【要約】【課題】双方向の流れに対応し、逆洗中や目詰まりの際にも供給を止めないようにする。【解決手段】流入室３と流出室４とを接続する二つの流路３ａにフィルタ２を介在させ、排出口８を形成したケーシング１を流水管Ｐ，Ｐに介設する。三方開口したＴ字管１１の一の開口がそれぞれ流入室３、流出室４に接続され、他の二方開口には対応する流れ方向のみ許容する逆止弁２０，３０をそれぞれ設けて三方口切替弁１１ａ，１１ｂを構成し、その二方開口に各流水管Ｐ，Ｐを接続する。流入室３に回転可能に設けた仕切板１４により、一の流路３ａを介して流入出室３，４間を、他の流路３ａを介して流出室４を排出口８に連通し、排出口８と流出室４とをバイパス弁１３を介してバイパス管１８で連通する。このようにすれば、双方向の流れに対応し得るとともに、一方の流路３ａの逆洗中にも他方の流路３ａで流水を確保でき、また、バイパス管１８を介して緊急に水を供給し得る。【選択図】図１
2005230781.tif 000002
【特許請求の範囲】
【請求項１】
流水管Ｐ，Ｐにケーシング１を介設し、そのケーシング１内に流入室３と流出室４を形成して、その流入室３に外部に連通する排出口８を形成するとともに、前記流入室３から流出室４への流路３ａにフィルタ２を介在させたストレーナ装置において、
前記流入室３、流出室４と各流水管Ｐ，Ｐとの接続は、それぞれ三方口切替弁１１ａ，１１ｂを介して行われ、流入室３に接続される三方口切替弁１１ａは、三方開口したＴ字管１１の一の開口が流入室３に接続され、他の二方開口にはケーシング１へ向かう流れのみ許容する逆止弁２０を設けてその二方開口にそれぞれ各流水管Ｐ，Ｐが接続され、流出室４に接続される三方口切替弁１１ｂは、三方開口したＴ字管１１の一の開口が流出室４に接続され、他の二方開口にはケーシング１から流出した流れのみ許容する逆止弁３０を設けてその二方開口にそれぞれ各流水管Ｐ，Ｐが接続されることを特徴とするストレーナ装置。
【請求項２】
流水管Ｐ，Ｐにケーシング１を介設し、そのケーシング１内に流入室３と流出室４を形成して、その流入室３に外部に連通する排出口８を形成するとともに、前記流入室３から流出室４への流路３ａにフィルタ２を介在させたストレーナ装置において、
前記流入室３、流出室４と各流水管Ｐ，Ｐとの接続は、それぞれ三方開口したＴ字管１１，１１を介して行われ、その両Ｔ字管１１，１１は、それぞれ、一の開口が流入室３、又は流出室４に接続されるとともに、他の二方開口にはそれぞれ各流水管Ｐ，Ｐが接続され、前記流入室３側のＴ字管１１に接続される各流水管Ｐ，Ｐには、それぞれケーシング１へ向かう流れのみ許容する逆止弁２０を、前記流出室４側のＴ字管１１に接続される各流水管Ｐ，Ｐには、それぞれケーシング１から流出した流れのみ許容する逆止弁３０を設けたことを特徴とするストレーナ装置。
【請求項３】
前記ケーシング１は、二つの前記流路３ａを有し、前記流入室３内に仕切板１４が軸１４ａ周りに回転可能に設けられて、その仕切板１４の回転により流入室３と流出室４とを連通する両流路３ａ，３ａが切替られるものであり、仕切板１４を回転することにより一の流路３ａが選択されるとともに、他の流路３ａを介して流出室４と排出口８とが連通し、その仕切板１４の切替中間位置において、流入室３が両流路３ａ，３ａを介して流出室４に連通するものであり、
前記排出口８には、その排出口８と前記流出室４とをバイパス弁１３を介して連通するバイパス管１８を設けたことを特徴とする請求項１又は２に記載のストレーナ装置。
【発明の詳細な説明】
【技術分野】
【０００１】
この発明は、流水管内を流れる夾雑物を除去するために、流水管の途中に介設されるストレーナ装置に関するものである。
【背景技術】
【０００２】
一般的に、流水管は、その管内面にライニング等を施すことにより錆止め等を行い、管内を流れる水に異物が混入しないようにしている。しかし、その流水管の配管工事において、孔明け工事や切断工事等を行った際に発生した金属粉が、管内の水に混入する場合がある。また、工事の際に生じた流水管の金属露出部で発生する錆や、管路内へ混じる砂利等が管内の水に混入する場合もある。これらの夾雑物は、流水管下流に供給される水の水質を悪化させるので、流水中に夾雑物があることは好ましくない。そこで、流水管の途中に、フィルタを流路に介在させて、流水をそのフィルタを通過させることにより夾雑物を取り除くストレーナ装置が採用される。
【０００３】
この種のストレーナ装置は、フィルタに夾雑物が付着して目詰まりを発生させるため、定期的なフィルタの清掃、又は交換が余儀なくされる。このため、その手入れを簡略化させるための種々の技術が開示されている。
【０００４】
例えば、特許文献１に記載の装置は、流水管に水が流入するケーシングを介在させて、そのケーシング内を通常の状態で流水が流入して流出されていく貫通室と、夾雑物を排出するための排出室とを区画し、前記貫通室には筒状のフィルタを固定して収納するとともに、前記排出室には大気中に水を流出できる開閉弁を設けたストレーナ装置である。
【０００５】
この装置では、流水管の上流側から貫通室内の筒状フィルタ内側に流入した水が、そのフィルタの周面を外側に向かって通過した後、その流水管の下流側に放出される。フィルタを通過できなかった夾雑物は、そのフィルタ内周面に捕捉され、そのうち比重の小さな夾雑物はその内周面に付着し、比重の大きな夾雑物はフィルタ底面に落下して堆積する。
【０００６】
このとき、フィルタの内側には、そのフィルタの筒軸に沿って中空の回転軸が設けられており、その回転軸にはフィルタ内周に向くノズルが設けられて、そのノズルが回転軸とともに軸周りに回転するようになっている。このノズルとフィルタ内周面とで構成する逆洗室が、前記排出室と連通している。前記排出室と管外部とを連通する開閉弁は、通常は閉められている。
【０００７】
排出室の開閉弁を開くことにより、管内圧と大気圧との間に圧力差が生じ、流水がフィルタを外側から内側に向かって逆の向きに通過して、排出室に連通する前記逆洗室へ取り込まれる。このとき、ノズルの縁がフィルタ内周面に接しているので、外力により軸を回してノズルを回転することにより、その縁が内周面に付着した夾雑物を吸い取って除去する。除去された夾雑物は、水とともに逆洗室に流入し、その後、排出室へ移送され開閉弁を介して外部に排出される。
【０００８】
この逆洗機能により、ストレーナ装置本体を分解等することなく、フィルタに付着、堆積した夾雑物を容易に清掃できるようにしている（例えば、特許文献１参照）。
【０００９】
また、前記逆洗機能を有する他の装置として、図１０に示すストレーナ装置がある。この装置は、上記装置と同様、流水管Ｐに介設したケーシング４０内を貫通室４１と排出室４５とに区画し、その貫通室４１に設けた筒状フィルタ４２の内側部分の流入室４３には、上流側、下流側それぞれの流水管Ｐ、Ｐ’が開口している。その各流水管Ｐ、Ｐ’からフィルタ４２内側への流入路４６，４６にはそれぞれ逆止弁５０ａ、５０ａが設けられ、このフィルタ４２内側部分に通ずる流路の逆止弁５０ａは、図１０に示す弁体５１ａを有して、上流側、下流側の各流水管Ｐ，Ｐ’からフィルタ４２内側部分への流れのみを許容するようになっている。
【００１０】
また、貫通室４１内のフィルタ４２の外側部分の流出室４４にも、上流側、下流側の前記各流水管Ｐ，Ｐ’が開口しており、そのフィルタ４２外側部分から各流水管Ｐ、Ｐ’への流出路４７，４７にはそれぞれ逆止弁５０ｂ，５０ｂが設けられている。このフィルタ４２外側部分に通ずる流路の逆止弁５０ｂは、図１０に示す弁体５１ｂを有して、前記フィルタ４２外側部分から、上流側、下流側の各流水管Ｐ、Ｐ’への流れのみを許容するようになっている。
【００１１】
この装置によれば、上流側あるいは下流側の一方の流水管Ｐ，Ｐ’から貫通室内の筒状フィルタ４２内側部分に流入した水は、そのフィルタ４２の周面を内側から外側に向かって通過した後、他方の流水管Ｐ’，Ｐへと排出される。つまり、この装置は、流水管の流れ方向にかかわらず、常に、フィルタ４２内側部分に水が流入し、その後フィルタ４２を外側に向かって通過できるようになっているので、流水管Ｐ，Ｐ’に逆流の発生するような箇所でも使用できるようになっている。（例えば、特許文献２参照）
【特許文献１】特開平１０−１３７５１６号公報
【特許文献２】特許第３１１８７７２号公報
【発明の開示】
【発明が解決しようとする課題】
【００１２】
一般的な上水道配管では、網の目のように流水管が配置されるので、水の流れ方向が変化したり、あるいはその流れ方向の判断が難しい場合がある。このような場合には、図１０に示すような双方向の流れに対応したストレーナ装置が用いられる。
しかし、図１０に示すストレーナ装置は、双方向に流れの発生する流水管に対応可能とした専用品であるため、単方向の流れのみ発生する流水管に使用されるストレーナ装置と比較してコスト高でもある。装置がコスト高になることは、好ましくない。
【００１３】
また、特許文献２に記載のストレーナ装置では、開閉弁４９を開けて排出室４８を外部に開放すると、その排出室４８には流入室４３及び流水管Ｐ，Ｐ’が連通しているため、流入室４３内の水が流出するとともに、流出室４４内の水もフィルタ４２をその全体に亘って通常の流路と逆方向に通過してフィルタ４２を逆洗しながら排出室４８へ流出するようになっている。このため、この逆洗作用中は、流水管には水が供給されないことになる。また、フィルタ４２が目詰まりすると通過できる流量が減少するので、前記逆洗等によるフィルタ４２の清掃が完了するまでは、所定の流量を確保できない事態も生じる。
【００１４】
そこで、この発明は、そのストレーナ装置を、単方向の流れのみ発生する流水管、及び双方向に流れの発生する流水管のどちらにも対応できるようにすることを第一の課題とし、そのフィルタの逆洗中や、あるいはフィルタが目詰まりした際にも、常に所定の流量を確保できるようにすることを第二の課題とする。
【課題を解決するための手段】
【００１５】
上記の課題を解決するために、この発明は、流水管にケーシングを介設し、そのケーシング内に流入室と流出室を形成して、その流入室に外部に連通する排出口を形成するとともに、前記流入室から流出室への流路にフィルタを介在させたストレーナ装置において、前記流入室、流出室と各流水管との接続を、それぞれ三方口切替弁を介して行ったのである。
【００１６】
その流入室に接続される三方口切替弁は、三方開口したＴ字管の一の開口が流入室に接続され、他の二方開口にはケーシングへ向かう流れのみ許容する逆止弁を設けてその二方開口にそれぞれ各流水管が接続されるようにする。また、流出室４に接続される三方口切替弁は、三方開口したＴ字管の一の開口が流出室に接続され、他の二方開口にはケーシングから流出した流れのみ許容する逆止弁を設けてその二方開口にそれぞれ各流水管が接続されるようにする。
【００１７】
このようにすれば、ケーシングに流入する水は、ケーシングへ向かう流れのみ許容する逆止弁を設けた流入室側の三方口切替弁を介してその流入室へのみ流入し、流出室側からは流入しない。また、ケーシングから流出する水は、ケーシングから流出した流れのみ許容する逆止弁を設けた流出室側の三方口切替弁を介してその流出室からのみ流出し、流入室側からは流出しない。このため、流水管内の流れ方向に係わらず、ケーシング内には、常に流入室から流出室へと向かう流れのみが発生するので、ケーシングを、双方向に流れが生じる流水管、及び単方向の流水管のいずれにも使用することができる。
【００１８】
また、前記三方口切替弁に代えてＴ字管を接続し、そのＴ字管に接続される各流水管にそれぞれの流れ方向に対応する逆止弁を設けても良い。すなわち、前記流入室側のＴ字管に接続される各流水管には、それぞれケーシングへ向かう流れのみ許容する逆止弁を、前記流出室側のＴ字管に接続される各流水管には、それぞれケーシングから流出した流れのみ許容する逆止弁を設ければよい。
【００１９】
このようにすれば、上記構成と同様、流水管内の流れ方向に係わらず、ケーシング内には、常に流入室から流出室へと向かう流れのみが発生するので、ケーシングを、双方向に流れが生じる流水管、及び単方向の流水管のいずれにも使用することができる。
【００２０】
上記の構成のストレーナ装置において、前記ケーシングは、二つの前記流路を有し、前記流入室内に仕切板が軸周りに回転可能に設けられて、その仕切板の回転により流入室と流出室とを連通する両流路が切替られるものであり、仕切板を回転することにより一の流路が選択されるとともに、他の流路を介して流出室と排出口とが連通するようにする。また、その仕切板の切替中間位置において、流入室が両流路を介して流出室に連通するものとし、前記排出口には、その排出口と前記流出室とをバイパス弁を介して連通するバイパス管を設けた構成を採用し得る。
【００２１】
このようにすれば、前記仕切板による流路の切替により、流入室から流出室へ通じる一の流路を選択するとともに、その選択しなかった他の流路を介して排出口が流出室に連通するので、前記一の流路でもって水を流出室及びその下流側に供給しながら、他の選択しなかった流路を介して水を逆流させ、その水を排出口を通じて外部へ排出することによりフィルタを逆洗することができる。このため、一方の流路のフィルタを逆洗により清掃中においても、他方の流路を介して水を流水管の下流側に供給できるようになる。
【００２２】
また、逆洗を行わない通常の使用状態では、前記仕切板を切り替え中間位置に設定することにより、流入室から流出室へ通じる両流路を選択して流水を確保することができる。なお、この切り替え中間位置に設定した際など、逆洗を行わない場合には前記排出口は使用しないので、その排出口が、前記流入室、及び流出室に通じる流路に接続しないようにあるいは、その排出口が外部に連通しないようにする手段を講じておけばよい。
【００２３】
また、フィルタ部材に夾雑物が付着して目詰まりをおこした際に、前記バイパス管のバイパス弁を開放すれば、その排出口、及びバイパス管を介して流入室と流出室が直結して、緊急に水を供給し得る。このため、前記排出口は、前記逆洗機能を用いる際と、このバイパス管の機能を用いる際の双方に兼用されるので、装置の構成が簡単となり効率的である。
【発明の効果】
【００２４】
この発明は、以上のようにしたので、ケーシングを単方向の流れのみ発生する流水管、及び双方向に流れの発生する流水管のどちらにも使用でき、また、フィルタの逆洗中や、あるいは、そのフィルタが目詰まりをおこした際にも、水の供給を止めないようにできる。
【発明を実施するための最良の形態】
【００２５】
一実施形態を図１乃至図５に示し、この実施形態のストレーナ装置は、流水に混入した異物（夾雑物）を除去するために、流水管の途中に介設されるフィルタ式のストレーナ装置である。
【００２６】
この装置は、図１又は図５に示すように、内部に流入室３と流出室４とを形成したケーシング１を、その流入室３、流出室４がそれぞれ流水管Ｐ，Ｐに連通するように接続されて、流水管Ｐ，Ｐの途中にケーシング１が介在するように設けられている。そのケーシング１内の流入室３には、接続口５を介して外部に連通する排出口８を形成し、また、その流入室３には二つの向かい合う開口３ｂ，３ｂを設けて、その開口３ｂ，３ｂを介して流入室３から流出室４へ至るフィルタ２を介在した二つの流路３ａを設けている。
【００２７】
その流入室３、流出室４と各流水管Ｐ，Ｐとの接続は、図１に示す三方口切替弁１１ａ，１１ｂを介して行われる。図中の下方に示す、流入室３に接続される三方口切替弁１１ａは、三方開口したＴ字管１１と逆止弁２０によって構成され、そのＴ字管１１の一の開口が流入室３に接続され、他の二方開口に室内への流入のみ許容する逆止弁２０を設けてそれぞれ分岐管１２，１２を介して流水管Ｐ，Ｐに接続される。また、図中の上方に示す、流出室４に接続される三方口切替弁１１ｂは、三方開口したＴ字管１１と逆止弁３０によって構成され、そのＴ字管１１の一の開口が流出室４に接続され、他の二方開口に室外への流出のみ許容する逆止弁３０を設けてそれぞれ分岐管１２，１２を介して流水管Ｐ，Ｐに接続される。
【００２８】
分岐管１２は、三方開口したＹ字型の管体を成して流水管Ｐの一部を構成するものであり、その三方開口うち、一の開口がさらに上流側、又は下流側の流水管Ｐに接続されて、その接続部からケーシング１に向かう流路が途中で二方に分岐して、流入路６及び流出路７が形成されている。このうち、流入路６は、前記流入室３に接続される前記Ｔ字管１１の逆止弁２０を設けた開口に、流出路７は、前記流出室４に接続される前記Ｔ字管１１の逆止弁３０を設けた開口にそれぞれ接続される。
【００２９】
逆止弁２０，３０の構成は、それぞれ、図１及び図２に示すように、各弁２０，３０の設置箇所において、その流れを許容する方向にのみ開弁するようになっている。前記流入路６からＴ字管１１への接続箇所においては、回転軸２３ａ，２３ｂ周りに揺動可能に取り付けた弁体２０ａ，２０ｂが、バネ２２ａ，２２ｂによって弁座２１ａ，２１ｂに接する方向に付勢されており、図中に矢印で示すように、流入路６からケーシング１内へ向かう流水が発生すると、その力によって、そのバネ２２ａ，２２ｂの付勢力に抗して弁体２０ａ，２０ｂをそれぞれ弁座２１ａ，２１ｂから押し離し、弁孔２４ａ，２４ｂを開放するようになっている。また、Ｔ字管１１から前記流出路７への接続箇所においては、回転軸３３ａ，３３ｂ周りに揺動可能に取り付けた弁体３０ａ，３０ｂが、バネ３２ａ，３２ｂによって弁座３１ａ，３１ｂに接する方向に付勢されており、図中に矢印で示すように、ケーシング１内から流出して流出路７へ向かう流水が発生すると、その力によって、そのバネ３２ａ，３２ｂの付勢力に抗して弁体３０ａ，３０ｂを弁座３１ａ，３１ｂから押し離し、弁孔３４ａ，３４ｂを開放するようになっている。
【００３０】
前記ケーシング１内の空間は、図５に示す二枚のフラットな環状フィルタ２をケーシング１内に平行に配置することによって三つの空間に隔てられて分割されている。そのフィルタ２によって分割された空間のうち中央の分割空間内には、図３に示すように、一方の端面を閉じた筒状部材Ｒがその一方端面がケーシング１内に位置するように挿入され、他方の端面開口には、ケーシング１外において配置された前記Ｔ字管１１の一方開口が接続されて、筒状部材Ｒ内側部分の空間である流入室３と三方口切替弁１１ａとが接続される。
【００３１】
また、その中央に位置する分割空間は、前記筒状部材Ｒの内側部分が前記流入室３を構成し、前記筒状部材Ｒの外側部分が前記流出室４を構成する。その流入室３は、前記筒状部材Ｒの周面に対向して設けた二つの開口３ｂ，３ｂから、その筒状部材Ｒの外側に向かって筒状に伸びて、その筒状流路が前記環状フィルタ２の中央穴部を隙間なく通過して、両端の分割空間に開口して接続される。この接続により、前記両開口３ｂ、３ｂから筒状流路を介して前記両側分割空間に至る部分でもって、流入室３から流出室４への前記流路３ａ，３ａをそれぞれ構成する。
【００３２】
また、中央に位置する分割空間内の流出室４、すなわち前記筒状部材Ｒの外側部分において、その筒状部材Ｒの一方端面後方には、図３に示すように、ケーシング１外へ向く開口が設けられて、この開口には、ケーシング１外において配置されたＴ字管１１の一方開口が接続されて、筒状部材Ｒ外側部分の空間である流出室４と三方口切替弁１１ｂとが接続される。
【００３３】
この流入室３内には、その流入室３を２つの空間に仕切る仕切板１４が設けられる。仕切板１４は、図１乃至図３に示すように、前記対向する両開口３ｂ，３ｂを結ぶ中間位置に設けられた回転軸１４ａ周りに回転可能になっており、この回転軸１４ａは、図５に示すように、その両開口３ｂ，３ｂの軸心を結ぶ線、及び前記筒状部材Ｒの筒軸心に対してそれぞれ直交する方向に設けられる。また、前記両開口３ｂ，３ｂを結ぶ中間位置には、図１に示すように、その回転軸１４ａから流出室４側へ所定距離離れた部分に排出口８の接続口５が下方に向かって設けられている。その排出口８は、図３に示すように、下方に導かれて開閉弁９を介して外部に連通している。さらに、その排出口８は、開閉弁９よりも流入室３側の部分においてバイパス管１８を分岐しており、そのバイパス管１８は、バイパス弁１３を介して流出室４の接続口１５に連通するように接続されている。
【００３４】
このように仕切板１４を流入室３内に設けたことにより、その流入室３内は、前記仕切板１４の回転軸１４ａ周りに４つの弁孔が位置して、その仕切板１４を弁体とする弁室Ｖを構成することとなる。すなわち、その４つの弁孔とは、回転軸１４ａ周りに、弁室Ｖから、前記流入室３（前記弁室Ｖ部分を除くさらに上流側の流入室３部分）へと至る弁孔、両流路３ａ，３ａへと至る弁孔、及び排出口８の接続口５へと至る弁孔の計４つの弁孔が形成されていることを示している。
この仕切板１４を手動操作レバー１６を介して操作して、一方の側、又は他方の側に向かって完全に動かなくなるまで回転することにより（図４（ｂ）及び（ｃ）参照）、仕切板１４が筒状部材Ｒ内周面に全周に亘って密着して、その流入室３内が二つの空間に仕切られる。この仕切られた空間の一方は、一の流路３ａ側に位置してその空間を介して前記流入室３（前記弁室Ｖ部分を除くさらに上流側の流入室３部分）と流出室４とを連通し、前記仕切られた空間の他方は、他の流路３ａ側に位置してその空間を介して前記流出室４と排出口８とを連通し得るように切替可能になる。すなわち、この仕切板１４により、前記両流路３ａ，３ａのうち一方を流入室３側から選択的に閉じて、かつその閉じた一方の流路３ａを介して流出室４を排出口８に連通する切替手段が構成される。
【００３５】
このストレーナ装置の作用を説明すると、図４（ａ）に示すように、切り替え中間位置となる図４（ａ）に示す位置では、両流路３ａ，３ａがともに流出室４に連通するよう接続されるようになっているので、通常の使用状態においては、この向きに仕切板１４を設定して、図３に示す排出口８の開閉弁９及びバイパス管１８のバイパス弁１３を閉じて使用する。流水は、図中の矢印のごとく、流入室３の弁室Ｖから両流路３ａ，３ａを経た後、フィルタ２を通過して夾雑物を除去された後に流出室４へと流れていく。
【００３６】
このとき、流水管Ｐからケーシング１への水の流入、及びケーシング１から流水管Ｐへの水の流出は、図１及び図２に示すように、前記三方口切替弁１１ａ，１１ｂ、分岐管１２、及び逆止弁２０，３０の作用により上流側、又は下流側どちらからの流水に対しても対応できるようになっている。以下、ケーシング１内のいずれの流れの態様においても同じである。
【００３７】
フィルタ２に付着した夾雑物を清掃するために逆洗を行う場合には、二段階にわけてその作業を行う。まず、図４（ｂ）に示すように、仕切板１４を回転して図中の左側に示す一方の流路３ａを閉じるようにして、図中の右側に示す他方の流路３ａのみを介して流入室３と流出室４とが連通するようにする。流水は、図中の矢印のごとく、流入室３の弁室Ｖから図中右側の他方の流路３ａを経た後、フィルタ２を通過して流出室４へと流れていく。このとき、流出室４へ流れこんだ水はさらに下流側へと供給されていくとともに、排出口８の開閉弁９を開放することにより、その水の一部が前記一方の流路３ａを逆流して流入室３の弁室Ｖに流入する。このとき、フィルタ２を通常の流れ方向とは逆方向に通過するので、そのフィルタ２に付着した夾雑物をその流れの勢いで洗い流し、その夾雑物を含んだ水は接続口５から排出口８へと排出される。この逆洗作業中にも、ケーシング１の下流側へは、一定量の水が供給されるので、フィルタの清掃に際して水の供給を停止する必要がなく便利である。
【００３８】
つぎに、図４（ｃ）に示すように、仕切板１４を回転して図中の右側に示す他方の流路３ａを閉じるようにして、図中の左側に示す一方の流路３ａのみを介して流入室３と流出室４とが連通するようにする。流水は、図中の矢印のごとく、流入室３の弁室Ｖから図中左側の一方の流路３ａを経た後、フィルタ２を通過して流出室４へと流れていく。このとき、図中右側の流路３ａを水が逆流してそのフィルタ２を逆洗する。その効果は、前述の図４（ｂ）の場合と同じである。
【００３９】
なお、仕切板１４は、図３に示すように、側方からの平面視楕円形を成して、筒状部材Ｒの内側空間において図４（ｂ）及び図４（ｃ）に示す切り替え位置で、筒状部材Ｒ内面に密着して流路３ａ，３ａを選択的に閉じることができるようになっている。この弁体１４ｂの平面形状は、筒状部材Ｒの内面の形状に合わせて設定されるものであり、切り替え時にその内面に密着して流路３ａ，３ａを選択的に閉じることができるようにされていれば、どのような形状であってもよい。また、筒状部材Ｒの内面の形状（筒軸方向に直交する断面形状）も自由である。
【００４０】
また、フィルタ２に夾雑物が大量に付着することにより目詰まりが発生し、流水がスムースに流れなくなった場合において、緊急に大量の水を供給しなければならなくなった際には、図３に示すバイパス弁１３を開放することにより、流入室３の弁室Ｖから前記排出口８及びバイパス管１８を介して流出室４に直接に配水することができる。
【００４１】
この実施形態では、前記流路を切替可能にする手段として流入室３内の弁室Ｖに、いわゆるバタフライ弁形式の仕切板１４を設けたが、この実施形態には限定されず、他の切替手段を採用してもよい。
【００４２】
例えば、図９（ａ）及び（ｂ）に示すように、円柱状の弁室Ｖを形成し、その弁室Ｖに向かって開口する前記流入室３、両流路３ａ，３ａ、及び排出口８の接続口５の４つの弁孔が形成されて、各弁孔をそれぞれ前記流入室３、両流路３ａ，３ａ及び排出口８に接続して構成するものである。前記仕切板１４は、その円柱状の弁室Ｖの内周面に摺動する回転式の円柱状弁体を成し、これを弁室Ｖに内装して、いわゆる四方弁を構成する。このとき、仕切板１４（弁体）は、図９（ａ）及び（ｂ）に示すように、流入室３側から両流路３ａ，３ａのうち一方又は他方を選択的に閉じて、且つ同時に、その閉じられた流路３ａを介して流出室４を排出口８に連通させる弁体流路を、それぞれ有するものであればよい。いずれの場合にも、上記機能を有する限りにおいて、その弁室への各開口位置は特に限定されない。
【００４３】
ただし、その仕切板１４（弁体）により、流入室３側から両流路３ａ，３ａのうち一方又は他方を選択的に閉じて、且つ同時に流出室４を排出口８に連通させるだけでなく、その切り替え中間位置において、前記流入室３を両流路３ａ，３ａに同時に接続することを望む場合には、前記仕切弁の弁体に流入室３と両流路３ａ，３ａとを同時に連通し得る弁体流路（図９（ｃ）参照）を設けて、前記流入室３と両流路３ａ，３ａとを選択的に閉じる場合の弁体流路（図９（ａ）及び（ｂ）参照）とは別に、その同時連通用の弁体流路を必要に応じて使い分けることができるようにした弁体とする必要がある。
【００４４】
また、逆止弁２０，３０の態様は、この実施形態のものに限定されず、例えば、図６、図７に示す逆止弁２０ように、コイルバネ２５ａ，２５ｂを配置して弁体２０ａ，２０ｂに付勢力を与えるようにした逆止弁を採用してもよい。
【００４５】
さらに、この実施形態では、ケーシング１を双方向に流れが発生する流水管ＰにＴ字管１１からなる三方口切替弁１１ａ，１１ｂ、及び分岐管１２などを介して配置したが、単方向にのみ流れの発生する流水管Ｐにこのケーシング１を設置する場合には、前記三方口切替弁１１ａ，１１ｂ、及び分岐管１２などを介さず、流水管Ｐを直接ケーシング１に接続すればよい。
【００４６】
他の実施形態として、図８に示す態様も考えられる。すなわち、上記の態様で、Ｔ字管１１，１１の前記二方開口に設けた逆止弁２０，３０を、そのＴ字管１１，１１に代えて、それぞれ流水管Ｐを構成する分岐管１２，１２の流入路６、流出路７に設けた構成である。このようにすれば、Ｔ字管１１，１１（三方口切替弁１１ａ，１１ｂ）の構成が簡単なものとなり、さらに部品の共通化を図ることができる。さらに、その分岐管１２，１２の流入路６、流出路７において、図８に示すように、逆止弁２０，３０を設ける弁部の管体１２ａ，１２ｂを、その分岐管１２から分割して脱着可能とすれば、さらに部品の共通化を図ることができる。
【図面の簡単な説明】
【００４７】
【図１】一実施形態の要部断面図
【図２】同実施形態の要部断面図
【図３】図１のケーシングの右側方断面図
【図４】ケーシング内の流れ方向を示す説明図
【図５】図１のケーシングの斜視図
【図６】他の実施形態の要部断面図
【図７】他の実施形態の要部断面図
【図８】他の実施形態の要部断面図
【図９】他の実施形態の仕切弁の説明図
【図１０】従来例の断面図
【符号の説明】
【００４８】
１，４０  ケーシング
２，４２  フィルタ
３，４３  流入室
４，４４  流出室
５，１５，４５  接続口
６，４６  流入路
７，４７  流出路
８  排出口
９，４９  開閉弁
１０  ストレーナ装置
１３  バイパス弁
１４  仕切板
１４ａ  回転軸
１６  手動操作レバー
１８  バイパス管
２０，３０  逆止弁
Ｐ  流水管
Ｒ  筒状部材
Ｖ  弁室
【図１】
2005230781.tif 000003
【図２】
2005230781.tif 000004
【図３】
2005230781.tif 000005
【図４】
2005230781.tif 000006
【図５】
2005230781.tif 000007
【図６】
2005230781.tif 000008
【図７】
2005230781.tif 000009
【図８】
2005230781.tif 000010
【図９】
2005230781.tif 000011
【図１０】
2005230781.tif 000012